(57)【要約】      （修正有）【課題】被洗浄物の洗浄効果を向上させ、洗浄後の洗浄液の除去を容易にする洗浄装置を提供し、また、そのような洗浄装置を利用した抵抗器の製造法を提供する。【解決手段】実質的に水平の回転軸を中心に円周方向に回転する円環状をなす板状体２と、板状体２の外周縁部である円環面６から実質的に水平方向に突出する複数のピン７を有し、個々の被洗浄物８は、４本のピン７の周面の間にそれぞれ載置され、板状体２の円環面６に沿って複数並び、板状体２の一部が洗浄槽９内の洗浄液に浸漬しながら板状体２が回転することで、被洗浄物８を連続して洗浄液に浸漬する。【選択図】図１
2015029952.tif 000002
【特許請求の範囲】
【請求項１】
洗浄装置において、
実質的に水平の回転軸を中心に円周方向に回転する板状体と、
上記板状体の外周縁部から実質的に水平方向に突出する複数のピンを有し、
個々の被洗浄物は、３本以上の上記ピンの間にそれぞれ載置され、上記板状体の外周縁部に沿って複数並び、
上記板状体が回転することで、上記被洗浄物を連続して前記洗浄液に浸漬することを特徴とする洗浄装置。
【請求項２】
前記板状体は、円環状または円盤状であることを特徴とする請求項１に記載の洗浄装置。
【請求項３】
前記板状体は、前記回転軸を備える中央部と、上記中央部から放射状に伸びる複数のスポーク部と、スポーク部と固定される外周の円環部を有し、隣接する上記スポーク部の間には貫通する穴部を有することを特徴とする請求項１または２に記載の洗浄装置。
【請求項４】
抵抗器の製造方法において、
棒状の抵抗体の両端に端子電極を取り付ける電極付き抵抗体製造工程と、
上記電極付き抵抗体を洗浄する洗浄工程と、
上記洗浄工程の後に上記電極部分にリード端子を取り付ける取り付け工程と、を有し、
上記洗浄工程は、実質的に水平の回転軸を中心に円周方向に回転する板状体と、
上記板状体の外周縁部から実質的に水平方向に突出する複数のピンを有する洗浄装置を用い、
個々の上記電極付き抵抗体は、３本以上の上記ピンの間にそれぞれ載置し、上記板状体の外周縁部に沿って複数並ばせ、
上記板状体を回転させることで、上記電極付き抵抗体を連続して前記洗浄液に浸漬することを特徴とする抵抗器の製造方法。
【発明の詳細な説明】
【技術分野】
【０００１】
本発明は、洗浄装置および抵抗器の製造法に関する。
【背景技術】
【０００２】
水平な回転軸に嵌着された大径の円板であって、その周縁の円周に沿って多数の物品挿入用の貫通孔を穿設した物品の移送用円板と、その移送用円板の前記水平回転軸より下側の円板部分を浸漬する物品の洗浄槽とからなる物品の連続洗浄装置が提案されている（特許文献１参照）。
【先行技術文献】
【特許文献】
【０００３】
【特許文献１】特開昭５８−１９６８８１号公報
【発明の概要】
【発明が解決しようとする課題】
【０００４】
しかしながら上記洗浄装置は、貫通孔内に被洗浄物である物品を挿入した状態で洗浄液に貫通孔および物品を共に接触させている。すると、貫通孔と物品の隙間が狭いため、洗浄液の流動が十分でなくなる。すると、物品の洗浄効果が低く、洗浄後の洗浄液の除去も困難となる。
【０００５】
そこで、本発明の目的は、被洗浄物の洗浄効果を向上させ、洗浄後の洗浄液の除去を容易にする洗浄装置を提供し、また、そのような洗浄装置を利用した抵抗器の製造法を提供することである。
【課題を解決するための手段】
【０００６】
上記目的を達成するため、本発明の洗浄装置は、実質的に水平の回転軸を中心に円周方向に回転する板状体と、板状体の外周縁部から実質的に水平方向に突出する複数のピンを有し、個々の被洗浄物は、３本以上のピンの間にそれぞれ載置され、板状体の外周縁部に沿って複数並ばされ、板状体が回転することで、被洗浄物を連続して洗浄液に浸漬する。
【０００７】
ここで、板状体は、円環状または円盤状であることとすることができる。
【０００８】
また板状体は、前記回転軸を備える中央部と、中央部から放射状に伸びる複数のスポーク部と、スポーク部と固定される外周の円環部を有し、隣接するスポーク部の間には貫通する穴部を有することとすることができる。
【０００９】
上記目的を達成するため、本発明の抵抗器の製造方法は、棒状の抵抗体の両端に端子電極を取り付ける電極付き抵抗体製造工程と、電極付き抵抗体を洗浄する洗浄工程と、洗浄工程の後に電極部分にリード端子を取り付ける取り付け工程と、を有し、洗浄工程は、実質的に水平の回転軸を中心に円周方向に回転する板状体と、板状体の外周縁部から実質的に水平方向に突出する複数のピンを有する洗浄装置を用い、個々の上記電極付き抵抗体は、３本以上のピンの間にそれぞれ載置し、板状体の外周縁部に沿って複数並ばせ、板状体を回転させることで、電極付き抵抗体を連続して洗浄液に浸漬する。
【発明の効果】
【００１０】
本発明では、被洗浄物の洗浄効果を向上させ、洗浄後の洗浄液の除去を容易にする洗浄装置を提供し、また、そのような洗浄装置を利用した抵抗器の製造法を提供することができる。
【図面の簡単な説明】
【００１１】
【図１】本発明の実施の形態に係る洗浄装置の全体を示す概要図である。
【図２】図１に示す一つの被洗浄物が、４本のピンの周面の間に載置されている状態を示す斜視概要図である。
【図３】本発明の実施の形態に係る抵抗器の製造法のフロー図である。
【発明を実施するための形態】
【００１２】
以下、本発明の実施の形態に係る洗浄装置について、図面を参照しながら説明する。
【００１３】
（本発明の実施の形態に係る洗浄装置の構成）
図１は、本発明の実施の形態に係る洗浄装置１の全体を示す概要図である。この洗浄装置１は、実質的に水平の回転軸を中心に円周方向に回転する円環状をなす板状体２を有している。板状体２は、上述した水平の回転軸を含む車輪のハブに相当する部材である中央部３と、中央部３から放射状に伸びるスポーク部４と、スポーク部４と固定される外周の円環部５を有している。隣接するスポーク部４の間には貫通する穴部３１がある。円環部５は、板状体２の外周縁部となる円環面６から実質的に水平方向に等間隔に突出する多数の円柱状のピン７を有している。個々の被洗浄物８は、４本のピン７の周面の間にそれぞれ載置され、ピン７と被洗浄物８は、円環面６に沿って一定の間隔で連続して整列している。そして、図１における板状体２の下側の一部が洗浄槽９中の洗浄液（水）に浸漬しながら板状体２が矢印方向に回転することで、被洗浄物８を連続して洗浄する。なお、洗浄槽９には図示を省略した超音波振動装置が備えられており、被洗浄物８を超音波洗浄することができるようにされている。
【００１４】
また、洗浄装置１は、個々の被洗浄物８を４本のピン７の周面の間にエアによる移送でそれぞれ載置する被洗浄物８の供給装置１１を有している。また、洗浄装置１は、被洗浄物８を洗浄液に浸漬した後に洗浄液をエアで吹き飛ばし、被洗浄物８を乾燥させる乾燥装置１２を有している。さらに、洗浄装置１は、その乾燥後の被洗浄物８を４本のピン７の周面の間からエアの吸引力によって取り出す取り出し装置１３を有している。
【００１５】
図２は、図１に示す一つの被洗浄物８が、４本のピン７ａ，７ｂ，７ｃ，７ｄの周面の間に載置されている状態を示す斜視概要図であって、上下方向を水平方向とした図である。ピン７ａ，７ｂ，７ｃ，７ｄは、それぞれ図１に示すピン７と同一物である。ピン７ａ，７ｂ，７ｃ，７ｄは、特にバネ力等によって被洗浄物８を保持しているのではなく、被洗浄物８は、４本のピン７ａ，７ｂ，７ｃ，７ｄの周面の間に若干の隙間を有しながら挿入され載置した状態で保持されている。隣り合うピン７ａ，７ｂ、ピン７ｂ，７ｃ、ピン７ｃ，７ｄ、ピン７ｄ，７ａの周面の距離は、円柱状の被洗浄物８の径よりも狭くされており、洗浄の際に被洗浄物８が隣り合うピン７ａ，７ｂ，７ｃ，７ｄの間からすり抜けて落ちるのを防止している。また、対角位置にあるピン７ａ，７ｃ、ピン７ｂ，７ｄの周面の距離は、円柱状の被洗浄物８の径よりも大きくされているため、被洗浄物８を４本のピン７ａ，７ｂ，７ｃ，７ｄの周面の間に載置したり、取り出したりすることが可能である。
【００１６】
ここで、図２に示す被洗浄物８は、円柱状の抵抗体２１の両端に有底円筒状の金属製の端子電極２２が圧入により取り付けられている、外形が略円柱状をしている抵抗素子２３である。
【００１７】
（本発明の実施の形態に係る抵抗器の製造法）
図３は、本発明の実施の形態に係る抵抗器の製造法のフロー図である。まず、円筒状の抵抗体２１の両端に有底円筒状の端子電極２２を圧入により図２に示すように取り付ける工程（電極付き抵抗体製造工程（Ｐ１））を経る。その後、電極付き抵抗体（抵抗素子２３と同義）を洗浄する洗浄工程（Ｐ２）を経る。その後、洗浄工程の後に電極部分にリード端子を取り付ける取り付け工程（Ｐ３）を経る。以上で 本発明の実施の形態に係る抵抗器が製造される。
【００１８】
ここで、洗浄工程（Ｐ２）は、上述の図１に示す洗浄装置１を用いる。まず、供給装置１１によって個々の抵抗素子２３を４本のピン７の周面の間にエアによる移送で、板状体２を矢印方向に回転しながら順次載置していく。そして、抵抗素子２３を洗浄槽９内の洗浄液に浸漬させて超音波洗浄をする。その後抵抗素子２３が、洗浄槽９内の洗浄液から図１における左上側に出てくる。その後、乾燥装置１２が抵抗素子２３に対してピン７の周面に向かう方向からエアを吹き付け抵抗素子２３表面に残留する洗浄液をエアで吹き飛ばし乾燥する。その後、取り出し装置１３が乾燥後の抵抗素子２３を４本のピン７の周面の間からエアの吸引力によって取り出し、抵抗素子２３を板状体２から取り外す。
【００１９】
上記洗浄工程（Ｐ２）は、被洗浄物８が抵抗素子２３の場合について記載したが、被洗浄物８が抵抗素子２３以外の場合も洗浄工程（Ｐ２）と同様に洗浄が行われる。
【００２０】
（本発明の実施の形態によって得られる主な効果）
本発明の実施の形態に係る洗浄装置１は、被洗浄物８を４本のピン７の周面の間に載置した状態で洗浄液中に浸漬させるため、被洗浄物８とピン７の間に洗浄液が滞留する部分が殆ど無く、洗浄液の流動が十分に行われ、被洗浄物８の洗浄効果を向上させることができる。同様の効果は、被洗浄物８が洗浄液から脱出する際にもある。被洗浄物８を保持しているものがピン７であることから、洗浄液に浸漬した状態から回転とともに上部に移行する際、洗浄液が効果的に落下しやすく、液切りを効率よく行うことができる。さらには、板状体２がスポーク部４と穴部３１を有するものであるため、一層、洗浄液を滞留させることなく攪拌させ、液切り効果を上げることができる。また同様に洗浄装置１は、被洗浄物８を４本のピン７の周面の間に載置した状態で乾燥を行うため、被洗浄物８とピン７の間に洗浄液が滞留する部分が殆ど無く、洗浄後の洗浄液の除去を容易にすることができる。
【００２１】
抵抗素子２３は、円柱状の抵抗体２１の両端に有底円筒状の金属製の端子電極２２が圧入により取り付けられている。そのため抵抗素子２３は、２つの部材の組み合わせで構成されている。このような抵抗素子２３は、乾燥時に過度な加熱をすると、各部材の熱膨張率の違いから組付け状態が変化するおそれがある。特に抵抗値調整のためのトリミングを行った後に過度な加熱をすると、せっかく目的の抵抗値に調節したにもかかわらず、抵抗値が変動してしまうおそれがある。その点、抵抗素子２３に付着した洗浄液をエアで吹き飛ばすようにすれば、そのようなおそれが無くなるか、後に加熱乾燥をする場合でも、過度な加熱を要しなくなる。
【００２２】
特に抵抗素子２３を用いた抵抗器が、いわゆる皮膜抵抗器である場合は、電蝕といわれる現象が発生しやすい。この電蝕によって抵抗皮膜とイオンが通電により化学反応を起こし、抵抗皮膜が侵蝕されることから抵抗値が増大し、断線が起こることがある。この電蝕の原因物質の中には、イオン性物質があるといわれており、「人汗」などもその１つである。洗浄工程（Ｐ２）を採用することによって、イオン性物質をしっかりと除去でき、この電蝕を飛躍的に抑制することができる。また、抵抗値調整のためのトリミングを行うと、抵抗体の粉末が飛散することがある。その粉末を洗浄工程（Ｐ２）によって除去すれば、安定動作する抵抗器を提供することができる。
【００２３】
（他の形態）
上述した本発明の実施の形態に係る洗浄装置１および抵抗器の製造法は、本発明の好適な形態の一例ではあるが、これに限定されるものではなく本発明の要旨を変更しない範囲において種々の変形実施が可能である。
【００２４】
本発明の実施の形態に係る洗浄装置１は、実質的に水平の回転軸を中心に円周方向に回転する円環状をなす板状体となる板状体２を有している。板状体２は、上述した水平の回転軸を含む車輪のハブに相当する部材である中央部３と、中央部３から放射状に伸びるスポーク部４と、スポーク部４と固定される車輪のタイヤの部分に相当する外周の円環部５を有している。円環部５は、板状体２の外周縁部となる円環面６から実質的に水平方向に突出する多数の円柱状のピン７を有している。個々の被洗浄物８は、４本のピン７の周面の間にそれぞれ載置され、ピン７と被洗浄物８は、円環面６に沿って一定の間隔で連続して整列している。そして、図１における板状体２の下側の一部が洗浄槽９中の洗浄液（水）に浸漬しながら板状体２が矢印方向に回転することで、被洗浄物８を連続して洗浄する。なお、洗浄槽９には図示を省略した超音波振動装置が備えられており、被洗浄物８を超音波洗浄することができるようにされている。また、洗浄装置１は、個々の被洗浄物８を４本のピン７の周面の間にエアによる移送でそれぞれ載置する被洗浄物８の供給装置１１を有している。また、洗浄装置１は、被洗浄物８を洗浄液に浸漬した後に洗浄液をエアで吹き飛ばし、被洗浄物８を乾燥させる乾燥装置１２を有している。さらに、洗浄装置１は、その乾燥後の被洗浄物８を４本のピン７の周面の間からエアの吸引力によって取り出す取り出し装置１３を有している。
【００２５】
ここで、上述の回転軸の方向およびピン７の突出方向の「実質的に水平」とは、完全な水平と、板状体２の回転によって被洗浄物８が落下しない程度の傾き、たとえば水平から１０°以内の傾きがある状態を含むこととする。
【００２６】
また、ピン７の形状は円柱状とされているが、楕円柱状、四角柱などの多角形柱状としても良い。
【００２７】
また、ピン７は、その周面ではなく、その先端部分で被洗浄物８を保持するようにしても良い。その際には略平行に円環面６から突出する４本（複数）のピン７の先端のいくつか又は全部が被洗浄物８の方向に屈曲することになる。
【００２８】
また、板状体２は、円環部５を有する円環状をしているが、スポーク部４によって形成される図１に示す穴部３１を有さないような円盤状とすることができる。
【００２９】
また、個々の被洗浄物８は、４本のピン７の周面の間にそれぞれ載置されているが、ピン７の数は被洗浄物８を保持できる程度の数、たとえば３本、５本、６本、８本などとすることができる。
【００３０】
また、図２に示すように、被洗浄物８は、ピン７の背丈よりも低い背丈とされている。しかし被洗浄物８の背丈は、被洗浄物８を保持できる程度にピン７の背丈よりも若干高くされていても良い。さらには、被洗浄物８を囲って保持するいくつかのピン７の背丈が被洗浄物８の背丈よりも高く、残りのピン７の背丈を被洗浄物８の背丈よりも低くしても良い。
【００３１】
また、図２に示すように、被洗浄物８は、円柱状の形状をしているが、被洗浄物８は、立方体など他の形状のものとしても良い。本発明の実施の形態に係る洗浄装置１は、種々の形状の被洗浄物８を洗浄することができる。
【００３２】
また、洗浄液には水を用いているが、洗浄の目的となる汚れの種類等によって適宜洗浄水を有機溶媒等としたり、洗浄液の温度を調整したりすることができる。
【００３３】
また、洗浄槽９には超音波振動装置が備えられているが、超音波振動装置は必須の構成要素でないため無くすることができる。ただし、超音波振動を与えた状態での洗浄効果は高いため、超音波振動装置を設けることが好ましい。
【００３４】
また個々の被洗浄物８は、供給装置１１のエアによる移送で４本のピン７の周面の間にそれぞれ載置されているが、その載置の方法はエアによる移送以外の方法を採用しても良い。また、同様に乾燥後の被洗浄物８は、取り出し装置１３のエアによる吸引力で、４本のピン７の周面の間から取り出されているが、その取り出し方法はエアによる吸引以外の方法を採用しても良い。
【００３５】
またピン７と被洗浄物８は、円環面６に沿って一定の間隔で連続して整列している。しかし、ピン７および／または被洗浄物８は、特に整列している必要はなく、円環面６に沿って整列しない位置に並んでいても良い。また、ピン７のによって被洗浄物８が載置され得る部分があっても被洗浄物８が載置されていないこととなっていても良い。
【００３６】
またピン７は、バネ力等によって被洗浄物８を保持しているのではないが、バネ力等によって被洗浄物８を保持することとしても良い。
【００３７】
また被洗浄物８は、洗浄液に浸漬した後に乾燥装置１２によって洗浄液をピン７の周面に向かう方向からエアで吹き飛ばし、被洗浄物８を乾燥させているが、被洗浄物８の乾燥方法は、加熱などの他の方法を採用しても良いし、洗浄液をエアで吹き飛ばした後に加熱乾燥を行なっても良い。被洗浄物８が抵抗値調整した後の抵抗素子２３の場合は、その加熱乾燥温度は５０℃から１００℃の間が好ましい。さらに、洗浄液をエアで吹き飛ばすとしても、その方向はピン７の周面に向かう方向ではなく、円環面６に向かう方向としても良い。
【００３８】
また本発明の実施の形態に係る抵抗器の製造法は、まず、円筒状の抵抗体２１の両端に有底円筒状の端子電極２２を圧入により図２に示すように取り付ける工程（電極付き抵抗体製造工程（Ｐ１））を経る。その後、電極付き抵抗体（抵抗素子２３と同義）を洗浄する洗浄工程（Ｐ２）を経る。その後、洗浄工程の後に電極部分にリード端子を取り付ける取り付け工程（Ｐ３）を経る。
【００３９】
ここで、洗浄工程（Ｐ２）は、抵抗素子２３に対して行なっているが、それに代えて、またはそれと共に取り付け工程（Ｐ３）を経た抵抗器に対して行なっても良い。取り付け工程（Ｐ３）では、リード端子を端子電極２２に溶接によって取り付けることが多い。そのような溶接作業を経ると金属が飛散し、抵抗器に着いてしまうことがある。電子部品としてはこのような余計な金属などの導電物は、何らかのトラブルの原因となるおそれがある。そのため、取り付け工程（Ｐ３）を経た抵抗器に対して、洗浄工程（Ｐ２）と同様の洗浄を行なうことが好ましい。
【００４０】
また本発明の実施の形態に係る抵抗器の製造法は、電極付き抵抗体製造工程（Ｐ１）と、洗浄工程（Ｐ２）と、取り付け工程（Ｐ３）を有しているが、これら以外の工程を含んでも良いことは言うまでもない。たとえば、洗浄工程（Ｐ２）の後および／または取り付け工程（Ｐ３）の後に抵抗素子２３を樹脂で覆うコーティング工程などを有していても良い。
【符号の説明】
【００４１】
１  洗浄装置
２  板状体
３  中央部（回転軸を有する）
５  円環部（外周縁部を有する）
６  円環面（外周縁部）
７，７ａ，７ｂ，７ｃ，７ｄ  ピン
８  被洗浄物
９  洗浄槽（洗浄液を有する）
２３  抵抗素子（被洗浄物）
３１  穴部
Ｐ１  電極付き抵抗体製造工程
Ｐ２  洗浄工程
Ｐ３  取り付け工程
【図１】
2015029952.tif 000003
【図２】
2015029952.tif 000004
【図３】
2015029952.tif 000005